(57)【要約】【課題】ユーザが別ルートでＥＣサイト装置から商品やサービスを購入した場合に、紹介元ユーザに対する成果報酬を分配することを可能にする。【解決手段】本発明は、ユーザ端末装置が仲介サーバからクーポンを受信し、ＥＣサイト装置にアクセスして、受信したクーポンのクーポン情報を送信し、ＥＣサイト装置がクーポン情報と成功報酬額を仲介サーバ装置に通知し、仲介サーバ装置で、クーポンとクーポンの利用履歴をクーポン発行・管理ＤＢで管理し、ユーザ端末装置のユーザに還元されるべき成功報酬額の累積をクーポン発行・管理ＤＢの情報より計算して成功報酬管理データベースで管理し、クーポン利用者及び紹介者に分配する。【選択図】      図１
2004171136.tif 000002
【特許請求の範囲】
【請求項１】
商品やサービスに関する情報をユーザに提供し、その結果としてユーザが商品やサービスを購入した履歴を管理し、成功報酬を得る情報仲介方法において、
仲介サーバ装置において、
ユーザ端末装置から、商品・サービス情報提供要求に基づいて提供した商品・サービス情報に対応するクーポンの発行要求があると、クーポンを発行して、要求元の該ユーザ端末装置に送信すると共に、紹介した商品やサービスを提供しているＥＣサイト装置の情報と、クーポンの発行を依頼したユーザの情報を関連付けてクーポン発行・管理データベースで管理し、
前記ユーザ端末装置において、
前記仲介サーバから前記クーポンを受信し、クーポンの対象商品やサービスを提供しているＥＣサイト装置にアクセスして、受信した該クーポンのクーポン情報を送信し、
前記ＥＣサイト装置において、
前記ユーザ端末装置から送信された前記クーポン情報が利用可能か否かを前記仲介サーバ装置に問い合わせ、
利用可能であれば、前記クーポン情報と前記ユーザ端末装置のユーザに還元する成功報酬額を前記仲介サーバ装置に通知し、
前記仲介サーバ装置は、
前記ユーザ端末装置のユーザに還元されるべき成功報酬額の累積を、前記クーポン発行・管理データベースの情報に基づいて、ユーザ毎に前記クーポン利用による還元されるべき成功報酬額を蓄積する成功報酬管理データベースで管理することを特徴とする情報仲介方法。
【請求項２】
システム上に、起点となる情報に関連付けられている商品やサービスに関する情報をユーザに提供する起点情報提供サイト装置を更に有する場合に、
前記仲介サーバ装置において、
クーポン情報として、商品やサービスを紹介する起点となった前記起点情報サイト装置を管理しておき、前記ＥＣサイト装置から前記ユーザ端末装置のユーザが商品やサービスの購入に至ったことの通知を受信すると、前記起点情報提供サイト装置の事業者に対して成功報酬の提供が可能になるように前記クーポン発行・管理データベースで管理する請求項１記載の情報仲介方法。
【請求項３】
前記クーポンの発行を受けたユーザＡのユーザ端末装置Ａから、他のユーザＢのユーザ端末装置Ｂに対して、該クーポンのクーポン情報を送信することにより、対象となる商品やサービスを紹介し、
前記クーポン情報を受信した前記ユーザ端末装置Ｂは、該クーポン情報に基づいて、前記仲介サーバ装置に対してクーポンの再発行を要求し、
前記仲介サーバ装置において、クーポンを再発行して前記ユーザ端末装置Ｂに送信すると共に、該クーポンの発行による仲介履歴を前記クーポン発行・管理データベースで管理しておき、
前記ユーザＢが商品やサービスの購入に至った場合に、前記ＥＣサイト装置から前記仲介サーバ装置に、前記ユーザＡ及び該ユーザＢに還元されるべき成功報酬額通知し、
前記仲介サーバ装置において、前記ＥＣサイト装置から受信した前記成功報酬額通知に基づいて、前記ユーザＢに成功報酬の提供が可能になるように前記クーポン発行・管理データベースで管理する請求項１または、２記載の情報仲介方法。
【請求項４】
前記ユーザ端末装置Ａから前記クーポン情報を受信することにより、クーポンによる紹介を受けたユーザのユーザ端末装置Ｂにおいて、該クーポンを起点に、前記仲介サーバ装置から該ユーザ用のクーポンの発行を受け、該クーポンのクーポン情報を他のユーザ端末装置Ｃに送信することにより、他のユーザに対象となる商品やサービスを紹介し、
前記他のユーザ端末装置Ｃのユーザが、受信した前記クーポン情報を起点に、前記仲介サーバ装置から該ユーザ端末装置ＣのユーザＣ用のクーポンの発行を受け、
前記仲介サーバ装置は、ユーザ間のクーポンでの仲介履歴を前記クーポン発行・管理データベースで管理しておき、
前記他のユーザ端末装置ＣのユーザＣが商品やサービスの購入に至った通知を前記ＥＣサイト装置から受信した場合に、紹介元のユーザである前記ユーザ端末装置Ｂに前記クーポン情報を送信した前記ユーザ端末装置ＡのユーザＡにも成功報酬を提供することが可能になるように、前記クーポン発行・管理データベースで管理する請求項３記載の情報仲介方法。
【請求項５】
前記クーポン発行・管理データベース上に、同一ユーザが複数記録されているかを判断し、複数記録されている場合には、不正と見做し、該ユーザに対して報酬の支払いを抑止する請求項４記載の情報仲介方法。
【請求項６】
商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末からなり、商品やサービスを紹介することにより成功報酬を得る情報仲介システムであって、
前記仲介サーバ装置は、
紹介した商品やサービスを提供しているＥＣサイト装置の情報と、クーポンの発行を依頼したユーザの情報を関連付けて管理するクーポン発行・管理データベースと、
ユーザ毎に累積された成功報酬額を管理する成功報酬管理データベースと、
ユーザ端末装置から、商品・サービス情報提供要求に基づいて提供した商品・サービス情報に対応するクーポンの発行要求があると、クーポンを発行して、要求元の該ユーザ端末装置に送信するクーポン発行手段と、
前記ＥＣサイト装置から前記ユーザ端末装置より送信されたクーポンのクーポン情報が使用可能か否かの問い合わせを受け付け、該クーポン情報の使用の可否を判定する認証手段と、
ユーザが商品やサービスを購入した際に、前記ＥＣサイト装置から成功報酬額の通知を受信し、前記クーポン発行・管理データベースの情報に基づいてユーザ毎に還元された前記成功報酬額の累積を求め、前記成功報酬管理データベースで管理する報酬管理手段とを制御する制御手段を、有し、  前記ユーザ端末装置は、
前記仲介サーバ装置に対してクーポンの発行要求を送信するクーポン要求手段と、
クーポンの対象商品やサービスを提供しているＥＣサイト装置にアクセスして前記クーポンのクーポン情報を送信するクーポン送信手段と、を有し、
前記ＥＣサイト装置は、
前記ユーザ端末装置から送信された前記クーポン情報が利用可能か否かを前記仲介サーバ装置に問い合わせるクーポン認証依頼手段と、
利用可能であれば、前記クーポン情報と前記ユーザ端末装置のユーザに還元する成功報酬額を前記仲介サーバ装置に通知する報酬通知手段と、を有することを特徴とする情報仲介システム。
【請求項７】
起点となる情報に関連付けられている商品やサービスに関する情報をユーザに提供する起点情報提供サイト装置を更に有し、
前記仲介サーバ装置の前記制御手段は、
クーポン情報として、商品やサービスを紹介する起点となった前記起点情報サイト装置を管理しておき、前記ＥＣサイト装置から前記ユーザ端末装置のユーザが商品やサービスの購入に至ったことの通知を受信すると、前記起点情報提供サイト装置の事業者に対して成功報酬の提供が可能になるように前記クーポン発行・管理データベースで管理する手段を含む請求項６記載の情報仲介システム。
【請求項８】
前記ユーザ端末装置は、
前記クーポンの発行を既に受けているとき、他のユーザのユーザ端末装置に対して、該クーポンのクーポン情報を送信することにより、対象となる商品やサービスを紹介するクーポン紹介手段と、
前記クーポン紹介手段により、前記クーポン情報を受信すると、該クーポン情報に基づいて、前記仲介サーバ装置に対してクーポンの再発行を要求するクーポン再発行要求手段を有し、
前記仲介サーバ装置の前記制御手段は、
前記ユーザ端末装置Ｂからクーポンの再発行の要求を受信すると、クーポンを再発行して該ユーザ端末装置に送信し、該クーポンの発行による仲介履歴を前記クーポン発行・管理データベースで管理する手段と、
前記紹介先のユーザ端末Ｂのユーザが商品やサービスの購入に至ったことを前記ＥＣサイト装置から通知された場合に、紹介元のユーザ端末装置Ａのユーザに対して紹介による成功報酬の提供が可能になるように前記クーポン発行・管理データベースで管理する手段を含む請求項６または、７記載の情報仲介システム。
【請求項９】
複数の前記ユーザ端末装置間で、
前記クーポン情報をあるユーザ端末装置Ａから受信することにより、ユーザ端末装置Ｂがクーポンによる紹介を受けた場合に、該クーポンを起点に、前記仲介サーバ装置から前記クーポン再発行要求手段により、該ユーザ用のクーポンの発行を受け、該クーポンのクーポン情報を他のユーザ端末装置Ｃに送信することにより、他のユーザに対象となる商品やサービスを紹介し、該ユーザ端末装置Ｃのユーザが、受信した該クーポン情報を起点に、前記仲介サーバ装置から前記クーポン再発行要求手段により、自ユーザ端末装置ＣのユーザＣ用のクーポンの発行を受けた場合に、
前記仲介サーバ装置の前記制御手段は、
ユーザ間のクーポンでの仲介履歴を前記クーポン発行・管理データベースで管理しておき、前記ユーザ端末装置ＣのユーザＣが、前記ＥＣサイト装置において商品やサービスの購入に至った場合に、紹介元のユーザであるユーザ端末装置Ｂに前記クーポン情報を送信したユーザ端末装置ＡのユーザＡに成功報酬を提供することが可能になるように、前記クーポン発行・管理データベースで管理する手段を含む請求項８記載の情報仲介システム。
【請求項１０】
前記仲介サーバ装置の制御手段は、
前記クーポン発行・管理データベース上に、同一ユーザが複数記録されているかを判断し、複数記録されている場合には、不正と見做し、該ユーザに対して報酬の支払いを抑止する手段を更に有する請求項９記載の情報仲介システム。
【請求項１１】
商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末を有し、商品やサービスを紹介することにより成功報酬を得る情報仲介システムにおける仲介サーバ装置であって、
紹介した商品やサービスを提供しているＥＣサイト装置の情報と、クーポンの発行を依頼したユーザの情報を関連付けて管理するクーポン発行・管理データベースと、
ユーザ毎に成功報酬額の累積を管理する成功報酬管理データベースと、
ユーザ端末装置から、商品・サービス情報提供要求に基づいて提供した商品・サービス情報に対応するクーポンの発行要求があると、クーポンを発行して、要求元の該ユーザ端末装置に送信するクーポン発行手段と、
前記ＥＣサイト装置から前記ユーザ端末装置から送信されたクーポンのクーポン情報が使用可能か否かの問い合わせを受け付け、該クーポン情報の使用の可否を判定する認証手段と、
前記ＥＣサイト装置からユーザが商品やサービスを購入した際に、成功報酬額の通知を受信し、前記クーポン発行・管理データベースの情報に基づいて、ユーザ毎に還元された前記成功報酬額の累積を求め、前記成功報酬管理データベースを更新する報酬管理手段とを制御する制御手段を、有することを特徴とする仲介サーバ装置。
【請求項１２】
前記制御手段は、
システム上に起点となる情報に関連付けられている商品やサービスに関する情報をユーザに提供する起点情報提供サイト装置が存在するとき、
クーポン情報として、商品やサービスを紹介する起点となった前記起点情報サイト装置を管理しておき、前記ＥＣサイト装置から前記ユーザ端末装置のユーザが商品やサービスの購入に至ったことの通知を受信すると、前記起点情報提供サイト装置の事業者に対して成功報酬の提供が可能になるように前記クーポン発行・管理データベースで管理する手段を含む請求項１１記載の仲介サーバ装置。
【請求項１３】
前記制御手段は、
前記ユーザ端末からクーポンの再発行の要求を受信すると、クーポンを再発行して前記ユーザ端末装置Ｂに送信し、該クーポンの発行による仲介履歴を前記クーポン発行・管理データベースで管理する手段と、
前記紹介先のユーザ端末装置Ｂのユーザが商品やサービスの購入に至ったことを前記ＥＣサイト装置から通知された場合に、紹介元のユーザ端末装置のユーザに対して紹介による成功報酬の提供が可能になるように前記クーポン発行・管理データベースで管理する手段を含む請求項１１または、１２記載の仲介サーバ装置。
【請求項１４】
前記制御手段は、
複数の前記ユーザ端末装置間で、
ユーザ端末装置Ｂが、前記クーポン情報をあるユーザ端末装置Ａから受信することにより、クーポンによる紹介を受けた場合に、該クーポンを起点に、前記仲介サーバ装置から前記クーポン再発行要求手段により、該ユーザ用のクーポンの発行を受け、該クーポンのクーポン情報を他のユーザ端末装置Ｃに送信することにより、他のユーザに対象となる商品やサービスを紹介し、該ユーザ端末装置Ｃのユーザが、受信した該クーポン情報を起点に、前記仲介サーバ装置から前記クーポン再発行要求手段により、自ユーザ端末装置ＣのユーザＣ用のクーポンの発行を受けた場合に、
ユーザ間のクーポンでの仲介履歴を前記クーポン発行・管理データベースで管理しておき、前記ユーザ端末装置ＣのユーザＣが、前記ＥＣサイト装置において商品やサービスの購入に至った場合に、紹介元のユーザであるユーザ端末装置Ｂに前記クーポン情報を送信したユーザ端末装置ＡのユーザＡに成功報酬を提供することが可能になるように、該クーポン発行・管理データベースで管理する手段を含む請求項１３記載の仲介サーバ装置。
【請求項１５】
前記制御手段は、
前記クーポン発行・管理データベース上に、同一ユーザが複数記録されているかを判断し、複数記録されている場合には、不正と見做し、該ユーザに対して報酬の支払いを抑止する手段を更に有する請求項１４記載の仲介サーバ装置。
【請求項１６】
商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末を有し、商品やサービスを紹介することにより成功報酬を得る情報仲介システムにおけるユーザ端末装置であって、
前記仲介サーバ装置に対してクーポンの発行要求を送信するクーポン要求手段と、
前記クーポンの発行を既に受けているとき、他のユーザのユーザ端末装置に対して、該クーポンのクーポン情報を送信することにより、対象となる商品やサービスを紹介するクーポン紹介手段と、
他のユーザ端末から前記クーポンのクーポン情報を受信すると、該クーポン情報に基づいて前記仲介サーバ装置にクーポンの再発行を要求するクーポン再発行要求手段と、
クーポンの対象商品やサービスを提供しているＥＣサイト装置にアクセスして前記クーポンのクーポン情報を送信するクーポン送信手段と、を有することを特徴とするユーザ端末装置。
【請求項１７】
商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末を有し、商品やサービスを紹介することにより成功報酬を得る情報仲介システムにおけるＥＣサイト装置であって、
前記ユーザ端末装置から送信されたクーポンのクーポン情報が利用可能か否かを前記仲介サーバ装置に問い合わせるクーポン認証依頼手段と、
利用可能であれば、前記クーポン情報と前記ユーザ端末装置のユーザに還元する成功報酬額を前記仲介サーバ装置に通知する報酬通知手段と、を有することを特徴とするＥＣサイト装置。
【請求項１８】
商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末を有し、商品やサービスを紹介することにより成功報酬を得る情報仲介システムにおける仲介サーバ装置が実行する情報仲介プログラムであって、
ユーザ端末装置から、ユーザ端末装置から、商品・サービス情報提供要求に基づいて提供した商品・サービス情報に対応するクーポンの発行要求があると、クーポンを発行して、要求元の該ユーザ端末装置に送信すると共に、紹介した商品やサービスを提供しているＥＣサイト装置の情報と、クーポンの発行を依頼したユーザの情報を関連付けて管理するクーポン発行・管理データベースに、該ユーザ端末装置のユーザ毎に、該クーポン発行に関する情報を設定するクーポン発行ステップと、
前記ＥＣサイト装置から前記ユーザ端末装置から送信されたクーポンのクーポン情報が使用可能か否かの問い合わせを受け付け、該クーポン情報の使用の可否を判定する認証ステップと、
前記ＥＣサイト装置からユーザが商品やサービスを購入した際に、成功報酬額の通知を受信し、前記クーポン発行・管理データベースの情報に基づいて、ユーザ毎に還元された前記成功報酬額の累積を求め、ユーザ毎に成功報酬額を管理する成功報酬管理データベースの内容を更新する報酬管理ステップと、からなる制御ステップを、実行することを特徴とする情報仲介プログラム。
【請求項１９】
前記制御ステップは、
システム上に起点となる情報に関連付けられている商品やサービスに関する情報をユーザに提供する起点情報提供サイト装置が存在するとき、
クーポン情報として、商品やサービスを紹介する起点となった前記起点情報サイト装置を管理しておき、前記ＥＣサイト装置から前記ユーザ端末装置のユーザが商品やサービスの購入に至ったことの通知を受信すると、前記起点情報提供サイト装置の事業者に対して成功報酬の提供が可能になるように前記クーポン跛行・管理データベースで管理するステップを含む請求項１８記載の情報仲介プログラム。
【請求項２０】
前記制御ステップは、
前記ユーザ端末からクーポンの再発行の要求を受信すると、クーポンを再発行して前記ユーザ端末装置Ｂに送信し、該クーポンの発行による仲介履歴を前記クーポン発行・管理データベースで管理するステップと、
前記紹介先のユーザ端末装置Ｂのユーザが商品やサービスの購入に至ったことを前記ＥＣサイト装置から通知された場合に、紹介元のユーザ端末装置Ａのユーザに対して紹介による成功報酬の提供が可能になるように前記クーポン発行・管理データベースで管理するステップを含む請求項１８または、１９記載の情報仲介プログラム。
【請求項２１】
前記制御ステップは、
複数の前記ユーザ端末装置間で、クーポンの転送による紹介が行われるとき、
ユーザ間のクーポンでの仲介履歴を前記クーポン発行・管理データベースで管理しておき、前記ユーザ端末装置ＣのユーザＣが、前記ＥＣサイト装置において商品やサービスの購入に至った場合に、紹介元のユーザであるユーザ端末装置にのユーザに成功報酬を提供することが可能になるように、該クーポン発行・管理データベースで管理するステップを含む請求項２０記載の情報仲介プログラム。
【請求項２２】
前記制御ステップは、
前記クーポン発行・管理データベース上に、同一ユーザが複数記録されているかを判断し、複数記録されている場合には、不正と見做し、該ユーザに対して報酬の支払いを抑止するステップを更に有する請求項２１記載の情報仲介プログラム。
【請求項２３】
商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末を有し、商品やサービスを紹介することにより成功報酬を得る情報仲介システムにおけるユーザ端末装置が実行する情報仲介プログラムであって、
前記仲介サーバ装置に対してクーポンの発行要求を送信するクーポン要求ステップと、
前記クーポンの発行を既に受けているとき、他のユーザのユーザ端末装置に対して、該クーポンのクーポン情報を送信することにより、対象となる商品やサービスを紹介するクーポン紹介ステップと、
他のユーザ端末から前記クーポンのクーポン情報を受信すると、該クーポン情報に基づいて前記仲介サーバ装置にクーポンの再発行を要求するクーポン再発行要求ステップと、
クーポンの対象商品やサービスを提供しているＥＣサイト装置にアクセスして前記クーポンのクーポン情報を送信するクーポン送信ステップと、を実行することを特徴とする情報仲介プログラム。
【請求項２４】
商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末を有し、商品やサービスを紹介することにより成功報酬を得る情報仲介システムにおけるＥＣサイト装置が実行する情報仲介プログラムであって、
前記ユーザ端末装置から送信されたクーポンのクーポン情報が利用可能か否かを前記仲介サーバ装置に問い合わせるクーポン認証依頼ステップと、
利用可能であれば、前記クーポン情報と前記ユーザ端末装置のユーザに還元する成功報酬額を前記仲介サーバ装置に通知する報酬通知ステップと、を実行することを特徴とする情報仲介プログラム。
【発明の詳細な説明】
【０００１】
【発明の属する技術分野】
本発明は、情報仲介方法及びシステム及び仲介サーバ及び情報仲介プログラムに係り、特に、商品やサービスの情報を消費者に提示し、その結果として商品やサービスの購入に結びついた場合に、ＥＣサイト装置の事業者から成果報酬を得ると同時に、起点となる情報の紹介者、商品やサービスを購入した消費者に成功報酬を提供するための情報仲介方法及びシステム及び仲介サーバ及び情報仲介プログラムに関する。
【０００２】
【従来の技術】
従来、インターネット上の成功報酬型情報仲介システムというのは、紹介者のウェブサイトやメールマガジンからＥＣサイト装置または、その中にある個別の商品へリンクを張り、そのリンク経由で商品が購入された場合、その売上げの一部をＥＣサイト装置の事業者がそのリンクを張っていた人に支払う方式である（例えば、非特許文献１参照。）。
【０００３】
【非特許文献１】
「アソシエイトプログラム」“Ａｍａｚｏｎ．ｃｏ．ｊｐ”  ｈｔｔｐ：／／ｗｗｗ．ａｍａｚｏｎ．ｃｏ．ｊｐ／ｅｘｅｃ／ｏｂｉｄｏｓ／ｓｕｂｓｔ／ａｓｓｏｃｉａｔｅｓ／ｊｏｉｎ／ａｓｓｏｃｉａｔｅｓ．ｈｔｍｌ／ｒｅｆ＝ｍｋ  ａｓ  ｈ  ３  １／２５０−００８７３０８−８１３２２４７
【０００４】
【発明が解決しようとする課題】
しかしながら、上記従来の方式では、自分のウェブサイト経由で商品を紹介しても、その場で購入に至らず、後に直接ＥＣサイト装置に訪れて購入した場合、それを管理することができないため、当該紹介元のユーザが成功報酬を得ることができないという問題がある。
【０００５】
また、あるユーザに紹介した商品をそのユーザが他のユーザに紹介して、その結果購入に至ったとしても、紹介元のユーザが成功報酬を得ることができないという問題がある。
【０００６】
本発明は、上記の点に鑑みなされたもので、商品やサービスを紹介した際に、ユーザが別ルートでＥＣサイト装置から商品やサービスを購入しても、その際に情報仲介を成果を管理し、紹介元ユーザに対しても成果報酬を分配することが可能な情報仲介方法及びシステム及び仲介サーバ及び情報仲介プログラムを提供することを目的とする。
【０００７】
【課題を解決するための手段】
図１は、本発明の原理を説明するための図である。
【０００８】
本発明は、商品やサービスに関する情報をユーザに提供し、その結果としてユーザが商品やサービスを購入した履歴を管理し、成功報酬を得る情報仲介方法において、
仲介サーバ装置において、
ユーザ端末装置から、商品・サービス情報提供要求に基づいて提供した商品・サービス情報に対応するクーポンの発行要求があると（ステップ１）、クーポンを発行して（ステップ３）、要求元の該ユーザ端末装置に送信する（ステップ４）と共に、紹介した商品やサービスを提供しているＥＣサイト装置の情報と、クーポンの発行を依頼したユーザの情報を関連付けてクーポン発行・管理データベースで管理し（ステップ５）、
ユーザ端末装置において、
仲介サーバからクーポンを受信し、クーポンの対象商品やサービスを提供しているＥＣサイト装置にアクセスして、受信した該クーポンのクーポン情報を送信し（ステップ５）、
ＥＣサイト装置において、
ユーザ端末装置から送信されたクーポン情報が利用可能か否かを仲介サーバ装置に問い合わせ（ステップ６）、
利用可能であれば、クーポン情報とユーザ端末装置のユーザに還元する成功報酬額を仲介サーバ装置に通知し（ステップ７）、
仲介サーバ装置は、
ユーザ端末装置のユーザに還元されるべき成功報酬額の累積を、クーポン発行・管理データベースの情報に基づいて、ユーザ毎にクーポン利用による還元されるべき成功報酬額を蓄積する成功報酬管理データベースで管理する（ステップ８）。
【０００９】
また、本発明は、システム上に、起点となる情報に関連付けられている商品やサービスに関する情報をユーザに提供する起点情報提供サイト装置を更に有する場合に、仲介サーバ装置において、クーポン情報として、商品やサービスを紹介する起点となった起点情報サイト装置を管理しておき、ＥＣサイト装置からユーザ端末装置のユーザが商品やサービスの購入に至ったことの通知を受信すると、起点情報提供サイト装置の事業者に対して成功報酬の提供が可能になるようにクーポン発行・管理データベースで管理する。
【００１０】
また、本発明は、クーポンの発行を受けたユーザＡのユーザ端末装置Ａから、他のユーザＢのユーザ端末装置Ｂに対して、該クーポンのクーポン情報を送信することにより、対象となる商品やサービスを紹介し、クーポン情報を受信したユーザ端末装置Ｂは、該クーポン情報に基づいて、仲介サーバ装置に対してクーポンの再発行を要求し、仲介サーバ装置において、クーポンを再発行してユーザ端末装置Ｂに送信すると共に、該クーポンの発行による仲介履歴をクーポン発行・管理データベースで管理しておき、ユーザＢが商品やサービスの購入に至った場合に、ＥＣサイト装置から仲介サーバ装置に、ユーザＡ及び該ユーザＢに還元されるべき成功報酬額通知し、仲介サーバ装置において、ＥＣサイト装置から受信した成功報酬額通知に基づいて、ユーザＢに成功報酬の提供が可能になるようにクーポン発行・管理データベースで管理する。
【００１１】
また、本発明は、ユーザ端末装置Ａからクーポン情報を受信することにより、クーポンによる紹介を受けたユーザのユーザ端末装置Ｂにおいて、該クーポンを起点に、仲介サーバ装置から該ユーザ用のクーポンの発行を受け、該クーポンのクーポン情報を他のユーザ端末装置Ｃに送信することにより、他のユーザに対象となる商品やサービスを紹介し、他のユーザ端末装置Ｃのユーザが、受信したクーポン情報を起点に、仲介サーバ装置から該ユーザ端末装置ＣのユーザＣ用のクーポンの発行を受け、仲介サーバ装置は、ユーザ間のクーポンでの仲介履歴をクーポン発行・管理データベースで管理しておき、他のユーザ端末装置ＣのユーザＣが商品やサービスの購入に至った通知をＥＣサイト装置から受信した場合に、紹介元のユーザであるユーザ端末装置Ｂにクーポン情報を送信したユーザ端末装置ＡのユーザＡにも成功報酬を提供することが可能になるように、クーポン発行・管理データベースで管理する。
【００１２】
また、本発明は、クーポン発行・管理データベース上に、同一ユーザが複数記録されているかを判断し、複数記録されている場合には、不正と見做し、該ユーザに対して報酬の支払いを抑止する。
【００１３】
図２は、本発明の原理構成図である。
【００１４】
本発明は、商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末からなり、商品やサービスを紹介することにより成功報酬を得る情報仲介システムであって、
仲介サーバ装置１００は、
紹介した商品やサービスを提供しているＥＣサイト装置３００の情報と、クーポンの発行を依頼したユーザの情報を関連付けて管理するクーポン発行・管理データベース１３０と、
ユーザ毎に累積された成功報酬額を管理する成功報酬管理データベース１２０と、
ユーザ端末装置２００から、商品・サービス情報提供要求に基づいて提供した商品・サービス情報に対応するクーポンの発行要求があると、クーポンを発行して、要求元の該ユーザ端末装置２００に送信するクーポン発行手段１４１と、
ＥＣサイト装置３００からユーザ端末装置より送信されたクーポンのクーポン情報が使用可能か否かの問い合わせを受け付け、該クーポン情報の使用の可否を判定する認証手段１４２と、
ユーザが商品やサービスを購入した際に、ＥＣサイト装置３００から成功報酬額の通知を受信し、クーポン発行・管理データベースの情報に基づいてユーザ毎に還元された成功報酬額の累積を求め、成功報酬管理データベース１２０で管理する報酬管理手段１４３とを制御する制御手段１４０を、有し、
ユーザ端末装置２００は、
仲介サーバ装置１００に対してクーポンの発行要求を送信するクーポン要求手段２１０と、
クーポンの対象商品やサービスを提供しているＥＣサイト装置３００にアクセスしてクーポンのクーポン情報を送信するクーポン送信手段２２０と、を有し、
ＥＣサイト装置３００は、
ユーザ端末装置２００から送信されたクーポン情報が利用可能か否かを仲介サーバ装置に問い合わせるクーポン認証依頼手段３１０と、
利用可能であれば、クーポン情報とユーザ端末装置のユーザに還元する成功報酬額を仲介サーバ装置１００に通知する報酬通知手段３２０と、を有する。
【００１５】
また、本発明は、起点となる情報に関連付けられている商品やサービスに関する情報をユーザに提供する起点情報提供サイト装置を更に有し、
仲介サーバ装置１００の制御手段１４０は、
クーポン情報として、商品やサービスを紹介する起点となった起点情報サイト装置を管理しておき、ＥＣサイト装置からユーザ端末装置のユーザが商品やサービスの購入に至ったことの通知を受信すると、起点情報提供サイト装置の事業者に対して成功報酬の提供が可能になるようにクーポン発行・管理データベース１３０で管理する手段を含む。
【００１６】
また、本発明のユーザ端末装置２００は、
クーポンの発行を既に受けているとき、他のユーザのユーザ端末装置に対して、該クーポンのクーポン情報を送信することにより、対象となる商品やサービスを紹介するクーポン紹介手段と、
クーポン紹介手段により、クーポン情報を受信すると、該クーポン情報に基づいて、仲介サーバ装置に対してクーポンの再発行を要求するクーポン再発行要求手段を有し、
仲介サーバ装置１００の制御手段１４０は、
ユーザ端末装置２００Ｂからクーポンの再発行の要求を受信すると、クーポンを再発行して該ユーザ端末装置に送信し、該クーポンの発行による仲介履歴をクーポン発行・管理データベースで管理する手段と、
紹介先のユーザ端末装置２００Ｂのユーザが商品やサービスの購入に至ったことをＥＣサイト装置３００から通知された場合に、紹介元のユーザ端末装置２００Ａのユーザに対して紹介による成功報酬の提供が可能になるようにクーポン発行・管理データベース１３０で管理する手段を含む。
【００１７】
また、本発明は、複数のユーザ端末装置間で、
クーポン情報をあるユーザ端末装置２００Ａから受信することにより、ユーザ端末装置２００Ｂがクーポンによる紹介を受けた場合に、該クーポンを起点に、仲介サーバ装置からクーポン再発行要求手段により、該ユーザ用のクーポンの発行を受け、該クーポンのクーポン情報を他のユーザ端末装置２００Ｃに送信することにより、他のユーザに対象となる商品やサービスを紹介し、該ユーザ端末装置２００Ｃのユーザが、受信した該クーポン情報を起点に、仲介サーバ装置からクーポン再発行要求手段により、自ユーザ端末装置２００ＣのユーザＣ用のクーポンの発行を受けた場合に、
仲介サーバ装置１００の制御手段１４０は、
ユーザ間のクーポンでの仲介履歴をクーポン発行・管理データベース１３０で管理しておき、ユーザ端末装置２００ＣのユーザＣが、ＥＣサイト装置３００において商品やサービスの購入に至った場合に、紹介元のユーザであるユーザ端末装置２００Ｂにクーポン情報を送信したユーザ端末装置２００ＡのユーザＡに成功報酬を提供することが可能になるように、クーポン発行・管理データベース１３０で管理する手段を含む。
【００１８】
また、本発明の仲介サーバ装置１００の制御手段１４０は、
クーポン発行・管理データベース１３０上に、同一ユーザが複数記録されているかを判断し、複数記録されている場合には、不正と見做し、該ユーザに対して報酬の支払いを抑止する手段を更に有する。
【００１９】
本発明は、商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末を有し、商品やサービスを紹介することにより成功報酬を得る情報仲介システムにおける仲介サーバ装置であって、
紹介した商品やサービスを提供しているＥＣサイト装置の情報と、クーポンの発行を依頼したユーザの情報を関連付けて管理するクーポン発行・管理データベースと、
ユーザ毎に成功報酬額の累積を管理する成功報酬管理データベースと、
ユーザ端末装置から、商品・サービス情報提供要求に基づいて提供した商品・サービス情報に対応するクーポンの発行要求があると、クーポンを発行して、要求元の該ユーザ端末装置に送信するクーポン発行手段と、
ＥＣサイト装置からユーザ端末装置から送信されたクーポンのクーポン情報が使用可能か否かの問い合わせを受け付け、該クーポン情報の使用の可否を判定する認証手段と、
ＥＣサイト装置からユーザが商品やサービスを購入した際に、成功報酬額の通知を受信し、クーポン発行・管理データベースの情報に基づいて、ユーザ毎に還元された成功報酬額の累積を求め、成功報酬管理データベースを更新する報酬管理手段とを制御する制御手段を、有する。
【００２０】
また、本発明の仲介サーバ装置における制御手段は、
システム上に起点となる情報に関連付けられている商品やサービスに関する情報をユーザに提供する起点情報提供サイト装置が存在するとき、
クーポン情報として、商品やサービスを紹介する起点となった起点情報サイト装置を管理しておき、ＥＣサイト装置からユーザ端末装置のユーザが商品やサービスの購入に至ったことの通知を受信すると、起点情報提供サイト装置の事業者に対して成功報酬の提供が可能になるようにクーポン発行・管理データベースで管理する手段を含む。
【００２１】
また、本発明の仲介サーバ装置における制御手段は、
ユーザ端末からクーポンの再発行の要求を受信すると、クーポンを再発行してユーザ端末装置Ｂに送信し、該クーポンの発行による仲介履歴をクーポン発行・管理データベースで管理する手段と、
紹介先のユーザ端末装置Ｂのユーザが商品やサービスの購入に至ったことをＥＣサイト装置から通知された場合に、紹介元のユーザ端末装置のユーザに対して紹介による成功報酬の提供が可能になるようにクーポン発行・管理データベースで管理する手段を含む。
【００２２】
また、本発明の仲介サーバ装置の制御手段は、
複数のユーザ端末装置間で、
ユーザ端末装置Ｂが、クーポン情報をあるユーザ端末装置Ａから受信することにより、クーポンによる紹介を受けた場合に、該クーポンを起点に、仲介サーバ装置からクーポン再発行要求手段により、該ユーザ用のクーポンの発行を受け、該クーポンのクーポン情報を他のユーザ端末装置Ｃに送信することにより、他のユーザに対象となる商品やサービスを紹介し、該ユーザ端末装置Ｃのユーザが、受信した該クーポン情報を起点に、仲介サーバ装置からクーポン再発行要求手段により、自ユーザ端末装置ＣのユーザＣ用のクーポンの発行を受けた場合に、
ユーザ間のクーポンでの仲介履歴をクーポン発行・管理データベースで管理しておき、ユーザ端末装置ＣのユーザＣが、ＥＣサイト装置において商品やサービスの購入に至った場合に、紹介元のユーザであるユーザ端末装置Ｂにクーポン情報を送信したユーザ端末装置ＡのユーザＡに成功報酬を提供することが可能になるように、該クーポン発行・管理データベースで管理する手段を含む。
【００２３】
また、本発明の仲介サーバ装置の制御手段は、
クーポン発行・管理データベース上に、同一ユーザが複数記録されているかを判断し、複数記録されている場合には、不正と見做し、該ユーザに対して報酬の支払いを抑止する手段を更に有する。
【００２４】
本発明は、商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末を有し、商品やサービスを紹介することにより成功報酬を得る情報仲介システムにおけるユーザ端末装置であって、
仲介サーバ装置に対してクーポンの発行要求を送信するクーポン要求手段と、
クーポンの発行を既に受けているとき、他のユーザのユーザ端末装置に対して、該クーポンのクーポン情報を送信することにより、対象となる商品やサービスを紹介するクーポン紹介手段と、
他のユーザ端末からクーポンのクーポン情報を受信すると、該クーポン情報に基づいて仲介サーバ装置にクーポンの再発行を要求するクーポン再発行要求手段と、
クーポンの対象商品やサービスを提供しているＥＣサイト装置にアクセスしてクーポンのクーポン情報を送信するクーポン送信手段と、を有する。
【００２５】
本発明は、商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末を有し、商品やサービスを紹介することにより成功報酬を得る情報仲介システムにおけるＥＣサイト装置であって、
ユーザ端末装置から送信されたクーポンのクーポン情報が利用可能か否かを仲介サーバ装置に問い合わせるクーポン認証依頼手段と、
利用可能であれば、クーポン情報とユーザ端末装置のユーザに還元する成功報酬額を仲介サーバ装置に通知する報酬通知手段と、を有する。
【００２６】
本発明は、商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末を有し、商品やサービスを紹介することにより成功報酬を得る情報仲介システムにおける仲介サーバ装置が実行する情報仲介プログラムであって、
ユーザ端末装置から、ユーザ端末装置から、商品・サービス情報提供要求に基づいて提供した商品・サービス情報に対応するクーポンの発行要求があると、クーポンを発行して、要求元の該ユーザ端末装置に送信すると共に、紹介した商品やサービスを提供しているＥＣサイト装置の情報と、クーポンの発行を依頼したユーザの情報を関連付けて管理するクーポン発行・管理データベースに、該ユーザ端末装置のユーザ毎に、該クーポン発行に関する情報を設定するクーポン発行ステップと、
ＥＣサイト装置からユーザ端末装置から送信されたクーポンのクーポン情報が使用可能か否かの問い合わせを受け付け、該クーポン情報の使用の可否を判定する認証ステップと、
ＥＣサイト装置からユーザが商品やサービスを購入した際に、成功報酬額の通知を受信し、クーポン発行・管理データベースの情報に基づいて、ユーザ毎に還元された成功報酬額の累積を求め、ユーザ毎に成功報酬額を管理する成功報酬管理データベースの内容を更新する報酬管理ステップと、からなる制御ステップを、実行する。
【００２７】
また、本発明の制御ステップは、
システム上に起点となる情報に関連付けられている商品やサービスに関する情報をユーザに提供する起点情報提供サイト装置が存在するとき、
クーポン情報として、商品やサービスを紹介する起点となった起点情報サイト装置を管理しておき、ＥＣサイト装置からユーザ端末装置のユーザが商品やサービスの購入に至ったことの通知を受信すると、起点情報提供サイト装置の事業者に対して成功報酬の提供が可能になるようにクーポン跛行・管理データベースで管理するステップを含む。
【００２８】
また、本発明の制御ステップは、
ユーザ端末からクーポンの再発行の要求を受信すると、クーポンを再発行してユーザ端末装置Ｂに送信し、該クーポンの発行による仲介履歴をクーポン発行・管理データベースで管理するステップと、
紹介先のユーザ端末装置Ｂのユーザが商品やサービスの購入に至ったことをＥＣサイト装置から通知された場合に、紹介元のユーザ端末装置Ａのユーザに対して紹介による成功報酬の提供が可能になるようにクーポン発行・管理データベースで管理するステップを含む。
【００２９】
また、本発明の制御ステップは、
複数のユーザ端末装置間で、クーポンの転送による紹介が行われるとき、
ユーザ間のクーポンでの仲介履歴をクーポン発行・管理データベースで管理しておき、ユーザ端末装置ＣのユーザＣが、ＥＣサイト装置において商品やサービスの購入に至った場合に、紹介元のユーザであるユーザ端末装置にのユーザに成功報酬を提供することが可能になるように、該クーポン発行・管理データベースで管理するステップを含む。
【００３０】
また、本発明の制御ステップは、
クーポン発行・管理データベース上に、同一ユーザが複数記録されているかを判断し、複数記録されている場合には、不正と見做し、該ユーザに対して報酬の支払いを抑止するステップを更に有する。
【００３１】
本発明は、商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末を有し、商品やサービスを紹介することにより成功報酬を得る情報仲介システムにおけるユーザ端末装置が実行する情報仲介プログラムであって、
仲介サーバ装置に対してクーポンの発行要求を送信するクーポン要求ステップと、
クーポンの発行を既に受けているとき、他のユーザのユーザ端末装置に対して、該クーポンのクーポン情報を送信することにより、対象となる商品やサービスを紹介するクーポン紹介ステップと、
他のユーザ端末からクーポンのクーポン情報を受信すると、該クーポン情報に基づいて仲介サーバ装置にクーポンの再発行を要求するクーポン再発行要求ステップと、
クーポンの対象商品やサービスを提供しているＥＣサイト装置にアクセスしてクーポンのクーポン情報を送信するクーポン送信ステップと、を実行する。
【００３２】
本発明は、商品やサービスに関する情報をユーザに提供し、その結果としてユーザが商品やサービスを購入した履歴を管理する仲介サーバ装置と、商品やサービスを提供するＥＣサイト装置と、ユーザが利用する複数のユーザ端末を有し、商品やサービスを紹介することにより成功報酬を得る情報仲介システムにおけるＥＣサイト装置が実行する情報仲介プログラムであって、
ユーザ端末装置から送信されたクーポンのクーポン情報が利用可能か否かを仲介サーバ装置に問い合わせるクーポン認証依頼ステップと、
利用可能であれば、クーポン情報とユーザ端末装置のユーザに還元する成功報酬額を仲介サーバ装置に通知する報酬通知ステップと、を実行する。
【００３３】
上記のように、本発明では、商品やサービスを紹介した後に、ユーザが直接ＥＣサイト装置を訪れても、そこで利用できるクーポンを事前に発行しておき、ユーザがクーポンを利用して商品やサービスを購入すると、成功報酬が還元される仕組みを作り、ユーザにクーポンを用いて商品やサービスを購入して貰うことで、商品やサービスの販売に貢献した仲介履歴情報を管理する。これにより、ユーザが別のルートでＥＣサイト装置から商品やサービスを購入しても、その際にクーポンを利用することで情報仲介の成果を管理することが可能となる。
【００３４】
また、当該クーポンを用いて商品やサービスをユーザが他の利用はに対して紹介することができ、紹介元ユーザに対しても成果報酬を分配することが可能となる。
【００３５】
さらに、こうしたユーザ間での仲介履歴を無限に管理していくことが可能となる。その結果、ＥＣサイト装置は、効果の不明な広告料でなく、販売に結びついた場合にだけ成功報酬を支払うだけで済み、購入者には情報仲介サービスを利用することで成功報酬が還元され、他のユーザに紹介したユーザや、起点となる情報提供者は、関与した販売の成果に応じた成功報酬を得ることが可能となる。
【００３６】
【発明の実施の形態】
以下、図面と共に本発明の実施の形態を説明する。
【００３７】
［第１の実施の形態］
図３は、本発明の第１の実施の形態における成功報酬型情報仲介システムの構成を示す。
【００３８】
同図に示すシステムは、仲介サーバ装置１００、ユーザ（ユーザＡ）が使用するユーザ端末装置２００、仲介サーバ装置１００が発行したクーポンを用いて、ユーザが商品やサービスを購入することができるＥＣサイト装置３００から構成され、これらは、インターネット等の通信網により接続さている。
【００３９】
仲介サーバ装置１００は、紹介商品・サービス情報管理データベース１１０、ユーザ情報・成功報酬管理データベース１２０、クーポン発行管理データベース１３０、制御部１４０、通信部１５０から構成される。
【００４０】
紹介商品・サービス管理データベース１１０は、商品やサービスに関する情報を管理する。
【００４１】
ユーザ情報・成功報酬管理データベース１２０は、商品・サービスの紹介のためのコンテンツを提供したユーザ情報及び、当該ユーザが受け取るべき成功報酬額の累積額を管理する。個々の成功報酬額については、ＥＣサイト装置３００側の事業者により予め設定されているものとする。
【００４２】
クーポン発行管理データベース１３０は、ユーザに対して発行したクーポンに関する情報を管理し、当該ユーザが取得したクーポン情報及び当該ユーザが使用したクーポン情報及びクーポンによる紹介履歴情報を管理する。詳しくは図６を用いて後述する。
【００４３】
制御部１４０は、ユーザ端末１００及びＥＣサイト装置３００からの要求や登録を受け付け、上記の各データベースから必要なデータを読み出して提供する、または、登録要求に基づいて送信されてきたデータに基づいて、上記の各データベースに対して登録・更新を行う。
【００４４】
通信部１５０は、ユーザ端末１００及びＥＣサイト装置３００との間でネットワークを介して通信を行う。
【００４５】
図４は、本発明の第１の実施の形態における動作のフローチャートであり、図５は、各装置間の動作シーケンスを示す。
【００４６】
ステップ１０１）  ユーザＡは、ユーザ端末装置２００から、仲介サーバ装置１００に対して、商品・サービスの仲介依頼要求を発行することにより、仲介サーバ装置１００から商品・サービスの紹介を受ける。このとき、仲介サーバ装置１００の制御部１４０は、紹介商品・サービス管理データベース１１０を検索して、ユーザＡからの仲介依頼要求に基づいて、商品等の紹介コンテンツをユーザ端末装置２００に送信する。
【００４７】
ステップ１０２）  ユーザＡは、ユーザ端末装置２００で仲介サーバ装置１００から商品・サービス等の紹介コンテンツを取得すると、気に入った商品・サービスのクーポンを仲介サーバ装置１００に要求し、仲介サーバ装置１００からクーポンを取得する。このとき、仲介サーバ装置１００の制御部１４０は、クーポン発行・管理データベース１３０からユーザＡにより指定された商品・サービスの内容に基づいて対応するクーポン情報を読み出す。
【００４８】
なお、クーポン発行・管理データベース１３０では、クーポン情報として、仲介サーバ装置１００内でユニークなクーポンＩＤ、サービス提供ＥＣサイト装置情報、クーポン発行日時、仲介履歴情報として、ユーザＡのＩＤが設定されているものとする。
【００４９】
ここで、クーポン発行・管理データベース１３０の構成を図６に示す。同図に示すクーポン発行・管理データベース１３０には、ユーザ毎に、取得したクーポン情報及び利用したクーポン情報が格納されている。ユーザが取得したクーポン情報には、クーポン発行情報として、クーポンＩＤ、サービス提供ＥＣサイト装置情報、クーポン発行日時があり、仲介履歴情報としてユーザＩＤを管理する。また、ユーザが利用したクーポン情報には、これらの情報に加えて、クーポン利用情報として、ＥＣサイト装置３００から受信したデータに基づいて、クーポン利用ユーザＩＤ、クーポン利用日時、成功報酬額が設定される。
【００５０】
ステップ１０３）  ユーザＡが取得したクーポンをＥＣサイト装置３００で使用する。このとき、ユーザ端末装置２００とＥＣサイト装置３００が接続され、ユーザＡが、取得したクーポンを使用して商品・サービスを購入する。なお、クーポンの使用方法としては、仲介サーバ装置１００から提供されたクーポンがユーザ端末装置２００の画面上に表示され、クーポンを使用する場合には、クーポン表示部分をクリックする等の操作が考えられる。
【００５１】
ステップ１０４）  ＥＣサイト装置３００は、ユーザＡによりクーポンが使用されると、仲介サーバ装置１００に対して、利用されたクーポンＩＤと共に、クーポン利用ユーザＩＤ（ここでは、ユーザＡのユーザＩＤ）、クーポン利用日時、ユーザＡに対する成功報酬を通知し、クーポンの認証を行った後、利用通知を行う。
【００５２】
ステップ１０５）  仲介サーバ装置１００は、通信部１５０を介して利用通知を受信すると、制御部１４０において、クーポン発行・管理データベース１３０の「ユーザＡが利用したクーポン情報」のクーポン利用情報欄に、利用通知の内容に基づいて、クーポン利用ユーザＩＤ（ユーザＡのＩＤ）、クーポン利用日時、成功報酬額をそれぞれ記録すると共に、ユーザ情報管理・成功報酬データベース１２０にユーザＡの成功報酬額の累計額を記録する。
【００５３】
仲介サーバ装置１００は、クーポン発行・管理データベース１３０の仲介履歴情報を元に、ＥＣサイト装置３００より予め取り決めた成功報酬を得る。また、ユーザＡに、ユーザ情報管理・成功報酬データベース１２０を参照してクーポン利用情報内の成功報酬を還元する。なお、これらの成功報酬の還元の方法として、ユーザ情報管理・成功報酬データベース１２０の成功報酬の累計額に基づいて、割引クーポン等を電子メールで配布する等の方法が考えられる。
【００５４】
これにより、商品やサービスを紹介した際に、ユーザに対してクーポンを発行しておくことにより、ユーザが別のルートでＥＣサイト装置３００から商品やサービスを購入しても、その際にクーポンを利用することで情報仲介の成果を管理することができる。その結果、ＥＣサイト装置３００は、不明な広告料ではなく、販売に結びついた場合にだけ成功報酬を支払うだけで済み、かつ、購入ユーザは情報仲介サービスを利用することで、成功報酬が還元される。
【００５５】
［第２の実施の形態］
本実施の形態では、他のユーザに対して紹介を行った紹介元のユーザが報酬を受け取る場合について説明する。
【００５６】
図７は、本発明の第２の実施の形態における成功報酬型情報仲介システムの構成を示す。同図に示すシステムは、図３に示す構成に起点情報提供サイト３００ｂと、仲介先のユーザ端末装置２００Ｂが存在する場合を示している。
【００５７】
起点情報提供サイト３００ｂは、情報仲介の起点となる情報とそれに関連する商品・サービスを仲介サーバ装置１００に登録する。
【００５８】
仲介サーバ装置１００は、起点情報提供サイト３００ｂから登録された商品・サービスに関する情報を紹介商品・サービス情報管理データベース１１０に登録する。
【００５９】
ＥＣサイト装置３００ａは、図３におけるＥＣサイト装置３００と同様である。
【００６０】
ユーザ端末装置２００Ａは、仲介サーバ装置１００から商品・サービスの紹介を受けて、それを、ユーザ端末装置２００Ｂにクーポンをメール等で送ることにより、商品・サービスを紹介する。
【００６１】
ユーザ端末装置２００Ｂは、ユーザ端末装置２００Ａからメール等を介してクーポンで紹介された商品・サービスが気に入った場合に、仲介サーバ装置１００に新たなクーポンの再発行を要求して、取得する機能を有する。そして、新たなクーポンを用いて、ＥＣサイト装置３００から商品・サービスを購入する。
【００６２】
図８は、本発明の第２の実施の形態における動作を示すフローチャートである。
【００６３】
ステップ２００）  準備処理として、起点情報提供サイト３００ｂは、仲介サーバ装置１００に事前に情報の仲介の起点となる情報とそれに関連する商品・サービスを登録する。これにより、仲介サーバ装置１００の制御部１４０は、紹介商品・サービス情報管理データベース１１０に、起点情報提供サイト３００ｂから登録された関連情報を登録しておく。
【００６４】
ステップ２０１）  ユーザＡが、ユーザ端末装置２００Ａから仲介サーバ装置１００に対して商品・サービスの紹介の要求を発行する。これにより、仲介サーバ装置１００の制御部１４０は、紹介商品・サービス情報管理データベース１１０から商品・サービスの紹介コンテンツを読み出して、通信部１５０を介してユーザ端末装置２００Ａにを送信する。
【００６５】
ステップ２０２）  ユーザＡは、仲介サーバ装置１００から受信した紹介コンテンツに気に入った商品・サービスがあれば、クーポンを要求し、仲介サーバ装置１００からクーポンを取得する。
【００６６】
仲介サーバ装置１００の制御部１４０は、クーポンの発行にあたり、クーポン発行・管理データベース１３０に、クーポン情報として、仲介サーバ装置１００内でユニークなクーポンＩＤ、サービス提供ＥＣサイト装置情報、クーポン発行日時、仲介履歴情報として、起点情報提供サイト３００ｂとユーザＡのＩＤを設定する。
【００６７】
ここで、クーポン発行管理ＤＢ１３０の例を図９に示す。
【００６８】
同図に示すクーポン発行・管理データベース１３０には、ユーザ毎に、「ユーザが取得したクーポン情報」、及び「ユーザが利用したクーポン情報」が格納されている。「ユーザが取得したクーポン情報」には、クーポン発行情報として、クーポンＩＤ、サービス提供ＥＣサイト装置情報、クーポン発行日時があり、仲介履歴情報として起点情報サイト情報とユーザＩＤを管理する。また、「ユーザが利用したクーポン情報」には、クーポン発行情報として、仲介サーバ装置１００により設定されるクーポンＩＤ、サービス提供ＥＣサイト装置情報、クーポン発行日時があり、仲介履歴情報として、起点情報提供サイト（ＩＤ等）、仲介したユーザＩＤ（同図の例では、ユーザＡとユーザＢ）があり、クーポン利用情報として、クーポン利用ユーザＩＤ、クーポン利用日時、及び成功報酬額がある。
ステップ２０３）  ユーザＡは、ユーザ端末装置２００Ａから気に入った商品・サービスのクーポンを電子メール等でユーザＢのユーザ端末装置２００Ｂに送信することで、当該クーポンの商品・サービスをユーザＢに紹介する。
【００６９】
ステップ２０４）  ユーザＢは、ユーザＡからクーポンで紹介された商品・サービスが気に入った場合には、仲介サーバ装置１００に対して当該商品・サービスに対応する新たなクーポンを要求し、再取得する。このとき、仲介サーバ装置１００の制御部１４０は、クーポン発行管理データベース１３０の仲介履歴情報（図９のユーザＢが利用したクーポン情報の仲介履歴情報の欄）にユーザＢのＩＤを追加し、新しいクーポンを発行し、通信部１５０を介してユーザＢのユーザ端末２００Ｂに送信する。また、仲介サーバ装置１００は、ユーザＢにクーポンを紹介したユーザＡについても、クーポン発行管理データベース１３０の仲介履歴情報の欄に当該ユーザＡのユーザＩＤを登録する。
【００７０】
ステップ２０５）  ユーザＢのユーザ端末装置２００ＢとＥＣサイト装置３００と接続し、ユーザＢは、取得したクーポンを利用して、当該ＥＣサイト装置３００から商品・サービスを購入する。
【００７１】
ステップ２０６）  ＥＣサイト装置３００は、仲介サーバ装置１００に対して、利用されたクーポンのクーポンＩＤと共に、クーポン利用ユーザＩＤ（ここでは、ユーザＢのユーザＩＤ）、クーポン利用日時、ユーザＢに対する成功報酬を通知し、クーポンの認証を行った後、利用通知を行う。
【００７２】
ステップ２０７）  仲介サーバ１００の制御部１４０は、クーポン発行管理データベース１３０の「ユーザＢが利用したクーポン情報」の仲介履歴情報に、ユーザＩＤを登録し、また、クーポン利用情報に、クーポン利用ユーザＩＤとしてユーザＢ設定し、そのクーポンの利用日時及び成功報酬額を設定する。さらに、ユーザ情報管理・成功報酬管理データベース１２０に対してユーザＢの成功報酬額及び、紹介ユーザＡによる別途定めた成功報酬額をそれぞれ累計した上で書き込む。
【００７３】
また、仲介サーバ１００の制御部１４０は、ユーザ情報管理・成功報酬管理データベース１２０を参照して、ユーザＢにクーポン利用情報内の成功報酬額を還元し、さらに、ユーザＢに紹介したユーザＡに対して別途定められた成功報酬を同様にユーザ情報管理・成功報酬管理データベース１２０を参照して還元する。また、起点情報提供サイト３００ｂにも別途定めた成功報酬を還元する。
【００７４】
なお、これらの成功報酬の還元としては、割引クーポン等を電子メールで配布する等の方法が考えられる。
【００７５】
上記のように、本実施の形態によれば、第１の実施の形態の効果に加え、ユーザ間でクーポンを用いた商品・サービスの紹介ができると共に、紹介の結果、商品・サービスの購入に至った場合、紹介元のユーザが成功報酬を得ることが可能となる。
【００７６】
また、起点情報提供サイト３００ｂも成功報酬を得ることができる。
【００７７】
［第３の実施の形態］
本実施の形態では、前述の第２の実施の形態でクーポンによる紹介を受けたユーザが更に別のユーザにクーポンで商品・サービスを紹介することを許容する例を説明する。
【００７８】
図１０は、本発明の第３の実施の形態における成功報酬型情報仲介システムの構成を示す。同図に示すシステムでは、複数のユーザ端末２００が存在する。
【００７９】
本実施の形態におけるクーポン発行・管理データベース１３０には、図１１に示すように、以下の値を設定することで管理する。
【００８０】
・ルートクーポンＩＤ：仲介サーバ１００から最初に紹介されたクーポンのＩＤ；
・クーポンＩＤ：仲介サーバ１００でユニークな値；
・発行ユーザＩＤ：クーポンを取得、再取得したユーザの管理番号；
・親ユーザＩＤ：商品・サービスをクーポンで紹介した紹介元のユーザの管理番号；
また、ユーザ情報管理・成功報酬データベース１２０では、図１２に示すように、仲介履歴管理情報として、各ユーザ毎に、分配率、算出値、加算額を設定する。同図の例では、成功報酬とて、ユーザＥに１０ポイントを与えて、その紹介者に５０％ずつポイントを与えた場合を示す。
【００８１】
以下に、本実施の形態における動作を説明する。
【００８２】
まず、仲介サーバ装置１００が、紹介商品・サービス情報管理データベース１１０の内容に基づいて、商品・サービスを紹介する場合について説明する。
【００８３】
図１３は、本発明の第３の実施の形態における商品・サービス紹介時の仲介サーバ装置の動作のフローチャートである。
【００８４】
ステップ３０１）  仲介サーバ装置１００内でユニークなクーポンＩＤを発行し、クーポン発行・管理データベース１３０に設定する
ステップ３０２）  クーポン発行・管理データベース１３０に発行ユーザＩＤを設定する。
【００８５】
ステップ３０３）  クーポン発行・管理データベース１３０のルートクーポンＩＤに発行されたクーポンＩＤを設定する。
【００８６】
ステップ３０４）  クーポン発行・管理データベース１３０の親ユーザＩＤを“ＮＵＬＬ”とする。
【００８７】
次に、紹介元ユーザからクーポンを元に商品・サービスを紹介された場合の仲介サーバ装置１００の動作について説明する。
【００８８】
図１４は、本発明の第３の実施の形態における紹介元ユーザからクーポンによる商品・サービスが紹介された場合の仲介サーバ装置の動作のフローチャートでる。
【００８９】
ステップ３１０）  仲介サーバ装置１００内でユニークなクーポンＩＤを発行し、クーポン発行・管理データベース１３０に設定する。
【００９０】
ステップ３１１）  クーポン発行・管理データベース１３０に発行ユーザＩＤを設定する。
【００９１】
ステップ３１２）  クーポン発行・管理データベース１３０に、起点となったクーポンＩＤからルートクーポンＩＤを設定する。
【００９２】
ステップ３１３）  ルートクーポンＩＤが同じ発行ＩＤをクーポン発行・管理データベース１３０から検索する。
【００９３】
ステップ３１４）  クーポン発行・管理データベース１３０の親ユーザＩＤを設定する際に、過去の発行ユーザＩＤと新規発行ユーザＩＤが一致する場合には、ステップ３１５に移行し、一致しない場合には、ステップ３１６に移行する。
ステップ３１５）  過去の発行ユーザＩＤと新規発行ユーザＩＤが一致する場合には、ステップ３１３の検索でヒットしたときの親ユーザＩＤを設定する。
【００９４】
ステップ３１６）  過去の発行ユーザＩＤと新規発行ユーザＩＤが一致しない場合には、親ユーザＩＤに起点となったクーポンＩＤの発行ユーザＩＤを設定する。
【００９５】
以下、上記の動作を図１１及び図１２を用いて具体的に説明する。なお、以下の説明では、ユーザが主体となって動作を行うように記載するが、実質的には、各ユーザのユーザ端末装置２００において実施される。
【００９６】
（１）  ユーザＡがクーポン１を取得する。
【００９７】
（２）  ユーザＢがユーザＡから紹介を受け、クーポン２を取得する。
【００９８】
（３）  ユーザＣがユーザＢから紹介を受け、クーポン３を取得する。
【００９９】
（４）  ユーザＤがユーザＣから紹介を受け、クーポン４を取得する。
【０１００】
（５）  ユーザＥがユーザＤから紹介を受け、クーポン５を取得する。
【０１０１】
（６）  ユーザＢがユーザＥから紹介を受け、クーポン６を取得する。
【０１０２】
（７）  ユーザＺがクーポン７を取得する。
【０１０３】
（８）  ユーザＹがユーザＺから紹介を受け、クーポン８を取得する。
【０１０４】
（９）  ユーザＦがユーザＢから紹介を受け、クーポン９を取得する。
【０１０５】
（１０  ユーザＢがユーザＹから紹介を受け、クーポン１０を取得する。
【０１０６】
本実施の形態において、クーポン５を取得したユーザＥは、ユーザＡ，Ｂ，Ｃ，Ｄを経て商品やサービスを紹介されており、クーポン５により商品やサービスをＥＣサイト装置３００から購入した場合は、ユーザＡ，Ｂ，Ｃ，Ｄにも成功報酬が支払われる。
【０１０７】
この場合、ユーザＡ，Ｂ，Ｃ，Ｄに支払われる成功報酬は、予め仲介サーバ装置１００で決められた配分額とするが、紹介元ユーザへの成功報酬は、
▲１▼  紹介先ユーザへの成功報酬額に一定比率を乗算した額を配分する；
▲２▼  最新の一定数ユーザに成功報酬額の一定割合を配分する；
▲３▼  トータルの成功報酬額を決めておき、全紹介ユーザに均等に分配する；
等により紹介に貢献したユーザが無限に増えてもトータルで支払う成功報酬額に上限値ができるようにすることができる。
【０１０８】
図１２の例では、本実施の形態におけるユーザＥが商品を購入し、１０ポイントの成功報酬を受ける場合、紹介元ユーザへの成功報酬額を紹介先ユーザへの成功報酬額の５０％とした際の成功報酬分配例を示している。
【０１０９】
また、本実施の形態において、「クーポン６」を取得したユーザＢは同じ情報をクーポン２でも取得しているので、「クーポン６」を起点に商品・サービスを購入しても、途中紹介者のユーザＣ，Ｄ，Ｅについては、商品・サービスの購入に貢献していないと判断し、ユーザＣ，Ｄ，Ｅについては、成功報酬は与えないような仲介履歴情報とし、成功報酬を不正に獲得できないようにする。
【０１１０】
上記の本実施の形態によれば、前述の第２の実施の形態に加え、クーポンで紹介された商品・サービスの購入に至った場合、紹介に関わったユーザが成功報酬を得ることができる。
【０１１１】
また、紹介に関わったユーザが無限に増えても成功報酬額に上限値を設けることもできる。さらに、複数のユーザと協力して不正な仲介履歴を構成して成功報酬を得ることを抑止することができる。
【０１１２】
なお、上記の実施の形態では、ユーザ情報管理・成功報酬データベースを用いる構成を示しているが、当該データベースを用いずに、クーポン発行・管理データベースで当該ユーザ情報管理・成功報酬データベースの内容を含めて管理するようにしてもよい。
【０１１３】
なお、上記の第１〜第３の実施形態における仲介サーバ装置、ユーザ端末装置、及びＥＣサイト装置の動作をプログラムとして構築し、仲介サーバ装置、ユーザ端末装置、及びＥＣサイト装置として利用されるコンピュータにインストールする、または、ネットワークを介して流通させることが可能である。
【０１１４】
また、構築されたプログラムを仲介サーバ装置、ユーザ端末装置、及びＥＣサイト装置として利用されるコンピュータに接続されるハードディスク装置や、フレキシブルディスク、ＣＤ−ＲＯＭ等の可搬記憶媒体に格納しておき、本発明を実施する際にインストールすることも可能である。
【０１１５】
また、本発明は、上記の実施の形態に限定されることなく、特許請求の範囲内において、種々変更・応用が可能である。
【０１１６】
【発明の効果】
上述のように、本発明によれば、ユーザが別のルートでＥＣサイト装置から商品やサービスを購入しても、その際にクーポンを利用することで情報仲介の成果を管理することができる。
【０１１７】
また、当該クーポンを用いて商品やサービスをユーザが他の利用はに対して紹介することができ、紹介元ユーザに対しても成果報酬を分配することができる。
さらに、こうしたユーザ間での仲介履歴を無限に管理していくことが可能となる。その結果、ＥＣサイト装置は、効果の不明な広告料でなく、販売に結びついた場合にだけ成功報酬を支払うだけで済み、購入者には情報仲介サービスを利用することで成功報酬が還元され、他のユーザに紹介したユーザや、起点となる情報提供者は、関与した販売の成果に応じた成功報酬を得ることができる。
【図面の簡単な説明】
【図１】本発明の原理を説明するための図である。
【図２】本発明の原理構成図である。
【図３】本発明の第１の実施の形態における成功報酬型情報仲介システムの構成図である。
【図４】本発明の第１の実施の形態における成功報酬型情報仲介システムの処理のフローチャートである。
【図５】本発明の第１の実施の形態における成功報酬型情報仲介システムの処理シーケンスチャートである。
【図６】本発明の第１の実施の形態におけるクーポン発行・管理データベース（ＤＢ）の構成図である。
【図７】本発明の第２の実施の形態における成功報酬型仲介システムの構成図である。
【図８】本発明の第２の実施の形態における成功報酬型仲介システムの処理のフローチャートである。
【図９】本発明の第２の実施の形態におけるクーポン発行・管理データベース（ＤＢ）の構成図である。
【図１０】本発明の第３の実施の形態における成功報酬型仲介システムの構成図である。
【図１１】本発明の第３の実施の形態におけるクーポン発行・管理データベース（ＤＢ）の構成図である。
【図１２】本発明の第３の実施の形態におけるユーザＥの場合の成功報酬配分例である。
【図１３】本発明の第３の実施の形態における商品・サービス紹介時の仲介サーバ装置の動作のフローチャートである。
【図１４】本発明の第３の実施の形態における紹介元ユーザからクーポンによる商品・サービスが紹介された場合の仲介サーバ装置の動作のフローチャートである。
【符号の説明】
１００  仲介サーバ装置
１１０  紹介商品・サービス情報管理データベース（ＤＢ）
１２０  成功報酬管理データベース（ＤＢ），ユーザ情報管理・成功報酬管理データベース（ＤＢ）
１３０  クーポン発行・管理データベース（ＤＢ）
１４０  制御部
１４１  クーポン発行手段
１４２  認証手段
１４３  報酬管理手段
１５０  通信部
２００  ユーザ端末装置
２１０  クーポン要求手段
２２０  クーポン送信手段
３００，３００ａ  ＥＣサイト装置
３００ｂ  起点情報提供サイト装置
３１０  クーポン認証依頼手段
３２０  報酬通知手段
【図１】
2004171136.tif 000003
【図２】
2004171136.tif 000004
【図３】
2004171136.tif 000005
【図４】
2004171136.tif 000006
【図５】
2004171136.tif 000007
【図６】
2004171136.tif 000008
【図７】
2004171136.tif 000009
【図８】
2004171136.tif 000010
【図９】
2004171136.tif 000011
【図１０】
2004171136.tif 000012
【図１１】
2004171136.tif 000013
【図１２】
2004171136.tif 000014
【図１３】
2004171136.tif 000015
【図１４】
2004171136.tif 000016